(57)【要約】【課題】埋め込んだ後に抜け難いようにする。【解決手段】一方向に延びたアンカー本体１０と、アンカー本体１０の先端部１１に設けられ、アンカー本体１０が埋め込まれた状態においてアンカー本体１０に引き抜き抵抗を与える抜け止め部材２０とを備え、抜け止め部材２０は、先端部１１に設けられる基部２１と、この基部２１から先端部１１と反対側に向かって延び、後方に向かうにしたがってアンカー本体１０との離隔距離が拡大する向きに傾斜し、互いにアンカー本体１０の周方向に並ぶ複数の抜け止め片２２とを有し、抜け止め部材２０は、アンカー本体１０に引き抜き力が与えられたときに各抜け止め片２２が地盤から受ける抵抗によって抜け止め片２２のアンカー本体１０に対する傾斜角度θが拡大する向きに変形可能であり、かつ、互いに隣接する抜け止め片２２同士が前記周方向に当接することにより、傾斜角度θが最低角度θ０に設定される。【選択図】図１
2011190642.tif 000002
【特許請求の範囲】
【請求項１】
回転駆動されながら地中に埋め込まれるアンカーであって、
一方向に延び、その一方の端部が先行して埋め込まれる先端部を構成するアンカー本体と、
前記アンカー本体の先端部に設けられ、当該アンカー本体が埋め込まれた状態で地盤に食い込むことにより当該アンカー本体に引き抜き抵抗を与える抜け止め部材とを備え、
前記抜け止め部材は、前記アンカー本体の先端部の近傍部位に設けられる基部と、この基部から前記アンカー本体の先端部と反対側に向かって延び、かつ後方に向かうにしたがってアンカー本体との離隔距離が拡大する向きに傾斜し、互いに前記アンカー本体の周方向に並ぶ複数の抜け止め片とを有し、
この抜け止め部材は、前記アンカー本体に引き抜き力が与えられたときに各抜け止め片が地盤から受ける抵抗によって当該抜け止め片の当該アンカー本体に対する傾斜角度が拡大する向きに変形可能であり、かつ、互いに隣接する抜け止め片同士が前記周方向に当接することにより、前記傾斜角度が所定の最低角度を下回るまで低下するのを阻止する形状を有することを特徴とするアンカー。
【請求項２】
請求項１に記載のアンカーにおいて、
前記最低角度が５゜以上かつ３０゜以下であることを特徴とするアンカー。
【請求項３】
請求項１または２に記載のアンカーにおいて、
前記各抜け止め片が平板状であり、前記抜け止め部材は、互いに隣接する抜け止め片の側面同士が当接可能な形状を有することを特徴とするアンカー。
【請求項４】
請求項３に記載のアンカーにおいて、
前記抜け止め部材の基部及び各抜け止め片が単一の金属板により構成され、当該抜け止め片と前記アンカー本体とのなす角度が前記最低角度以上となるように前記基部と前記各抜け止め片との境界部分が曲がっていることを特徴とするアンカー。
【発明の詳細な説明】
【技術分野】
【０００１】
本発明は、例えば落石を防止すべく用いられる落石防止網などを固定するためのアンカーに関し、特に回転駆動されながら土中に埋め込まれるアンカーに関する。
【背景技術】
【０００２】
上述したアンカーとして、従来、帯板をスパイラル状に形成したアンカー本体の上部に係留を兼ねる回転止部材が取付けられる構成のものが知られている（例えば、特許文献１等参照）。このアンカーでは、前記回転止部材が取り外された状態でアンカー本体が回転駆動されながら地中に埋込まれ、所定深さに達すると、アンカー本体の上部に回転止部材が取付けられることでその回り止めがなされる。
【先行技術文献】
【特許文献】
【０００３】
【特許文献１】特許第３１１１２５２号
【発明の概要】
【発明が解決しようとする課題】
【０００４】
しかしながら、上述した従来のアンカーにあっては、スパイラル状になっているアンカー本体よりも外側に突出した部分が無いので、そのようなアンカー本体を地中に埋め込んだ後に、埋め込み方向とは逆方向へ向けて引き上げられる引き抜き力が作用した場合に抜け易いという難点があった。
【０００５】
本発明は、このような従来技術の課題を解決するためになされたものであり、埋め込んだ後に引き抜き力が作用しても抜け難いアンカーを提供することを目的とする。
【課題を解決するための手段】
【０００６】
本発明の請求項１に係るアンカーは、回転駆動されながら地中に埋め込まれるアンカーであって、一方向に延び、その一方の端部が先行して埋め込まれる先端部を構成するアンカー本体と、前記アンカー本体の先端部に設けられ、当該アンカー本体が埋め込まれた状態で地盤に食い込むことにより当該アンカー本体に引き抜き抵抗を与える抜け止め部材とを備え、前記抜け止め部材は、前記アンカー本体の先端部の近傍部位に設けられる基部と、この基部から前記アンカー本体の先端部と反対側に向かって延び、かつ後方に向かうにしたがってアンカー本体との離隔距離が拡大する向きに傾斜し、互いに前記アンカー本体の周方向に並ぶ複数の抜け止め片とを有し、この抜け止め部材は、前記アンカー本体に引き抜き力が与えられたときに各抜け止め片が地盤から受ける抵抗によって当該抜け止め片の当該アンカー本体に対する傾斜角度が拡大する向きに変形可能であり、かつ、互いに隣接する抜け止め片同士が前記周方向に当接することにより、前記傾斜角度が所定の最低角度を下回るまで低下するのを阻止する形状を有することを特徴とする。
【０００７】
本発明の請求項２に係るアンカーは、請求項１に記載のアンカーにおいて、前記最低角度が５゜以上かつ３０゜以下であることを特徴とする。
【０００８】
本発明の請求項３に係るアンカーは、請求項１または２に記載のアンカーにおいて、前記各抜け止め片が平板状であり、前記抜け止め部材は、互いに隣接する抜け止め片の側面同士が当接可能な形状を有することを特徴とする。
【０００９】
本発明の請求項４に係るアンカーは、請求項３に記載のアンカーにおいて、前記抜け止め部材の基部及び各抜け止め片が単一の金属板により構成され、当該抜け止め片と前記アンカー本体とのなす角度が前記最低角度以上となるように前記基部と前記各抜け止め片との境界部分が曲がっていることを特徴とする。
【発明の効果】
【００１０】
本発明のアンカーにあっては、アンカー本体の先端部に設けられた抜け止め部材の複数の抜け止め片が、前記アンカー本体に対する離隔距離をアンカー本体の後端側に向かうに従って拡大する傾きに傾斜している。よって、アンカー本体をその先端側から地中に埋め込んだ後にアンカー本体が引き抜き力を受けると、各抜け止め片が地盤から受ける抵抗によって抜け止め片のアンカー本体に対する傾斜角度が拡大する向きに変形し、この変形に伴って地盤に対して抜け難くなる抵抗を発生させることになる。そして、この抵抗によりアンカーが抜け難い状態になる。また、地中に埋め込んでいくときに、抜け止め片のアンカー本体に対する傾斜角度が小さくなっても、隣接する抜け止め片が周方向に当接して傾斜角度が最低角度を下回るまで低下するのを阻止するので、抜け止め片のアンカー本体に対する傾斜角度は最低角度以上に保持され、その保持状態で地中に埋め込まれる。よって、アンカー本体が引き抜き力を受けて各抜け止め片が地盤から受ける抵抗によって傾斜角度が拡大する向きに変形するように前記最低角度を設定しておくことで、アンカー本体が引き抜き力を受けると各抜け止め片が基部と反対の先端側を確実に開かせることができる。なお、抜け止め片に負荷をかけない状態において、隣接する抜け止め片が周方向に当接せず、かつ前記傾斜角度が最低角度よりも大きい角度になるように設定しておき、埋め込みに際し、隣接する抜け止め片が周方向に当接して傾斜角度が最低角度に低下する構成にすることも可能である。
【００１１】
前記最低角度は、請求項２のように５゜以上かつ３０゜以下にすることが好ましい。即ち、５゜未満の角度の場合には、アンカー本体に引き抜き力が作用してアンカー本体が引き抜かれる状態になっても、各抜け止め片が傾斜角度を拡大させる向きに変形しない虞があるからである。一方、３０゜よりも大の場合には、アンカーの埋め込みが困難になるためである。
【００１２】
また、請求項３に係るアンカーにあっては、各抜け止め片が平板状であり、互いに隣接する抜け止め片の側面同士が当接する構成にすることで、側面同士の当接する部分が角部となり、その角部が地中に穴をあける作用を有する。このとき、側面同士が当接する、互いに隣接する抜け止め片のうちの少なくとも一方の側面に、相手側の抜け止め片の側面に当接する当接片を形成しておくことが好ましい。
【００１３】
更にまた、請求項４に係るアンカーにあっては、基部と抜け止め片とが単一の金属板で構成されているので、部品点数を少なくすることができる。また、基部と抜け止め片とが一体で繋がっているので、基部と抜け止め片の境界部分における強度を確保することが可能である。
【図面の簡単な説明】
【００１４】
【図１】本発明の一実施形態に係るアンカーを示す正面図である。
【図２】図１のアンカーを示す右側面図である。
【図３】図１のアンカーを使用している状態を示す図である。
【図４】図１のアンカーを構成するアンカー本体を示す正面図である。
【図５】図１のアンカーを構成する抜け止め部材を示す外観斜視図である。
【図６】図５に示す抜け止め部材の展開図である。
【図７】抜け止め部材における抜け止め片の作用説明図である。
【図８】（ａ）、（ｂ）は共に他の抜け止め部材を示す外観斜視図である。
【図９】（ａ）は他の抜け止め部材を示す外観斜視図、（ｂ）はその展開図である。
【図１０】更に他の抜け止め部材を示す外観斜視図である。
【図１１】他の回り止め部材を示す外観斜視図である。
【図１２】更に他の回り止め部材を示す図で、（ａ）は平面図、（ｂ）は正面図である。
【図１３】更に他の回り止め部材を示す図で、（ａ）は平面図、（ｂ）は正面図である。
【発明を実施するための形態】
【００１５】
以下に、本発明の実施形態を具体的に説明する。
【００１６】
図１は本発明の一実施形態に係るアンカーを示す正面図であり、図２はそのアンカーを示す右側面図、図３はそのアンカーを使用している状態を示す図である。また、図４は上記アンカーを構成するアンカー本体を示す正面図、図５は上記アンカーを構成する抜け止め部材を示す外観斜視図、図６は図５に示す抜け止め部材の展開図である。
【００１７】
このアンカー１は、回転駆動されながら地中に埋め込まれるものであって、アンカー本体１０と抜け止め部材２０と回り止め部材３０とを有する。
【００１８】
アンカー本体１０は、図４に示すように一方向に延びる棒状のもので、その一方の端部１１は先行して地中に埋め込まれる先端部を構成する。その先端部（一方の端部）１１は、先端に近づく程尖るように円錐形に形成された円錐部１２と、その円錐部１２よりも後端側に形成された、抜け止め部材２０を取付けるための抜け止め部材取付部１３とを有する。抜け止め部材取付部１３よりも後端側には外径が抜け止め部材取付部１３よりも連続して大きくなる段付部１４が形成されている。段付部１４よりも後端側は軸部１５が形成されていて、その軸部１５は軸方向の各位置で同一外径になっている。軸部１５よりも後端側には外径が軸部１５よりも連続して小さくなる段付部１６が形成されており、段付部１６よりも後端側は軸部１５より小さい外径の回り止め部材取付部１７が形成されている。抜け止め部材取付部１３及び回り止め部材取付部１７には、雄ねじが形成されている。
【００１９】
前記抜け止め部材取付部１３には、抜け止め部材２０が取付けられる。抜け止め部材２０は、アンカー本体１０が埋め込まれた状態で地盤に食い込むことにより当該アンカー本体１０に引き抜き抵抗を与えるものであり、金属製のものである。抜け止め部材２０の形状は、図５に示すように中心部に円形の取付孔２１ａを有する矩形状の基部２１と、その基部２１の各辺に繋がる４つの抜け止め片２２とを有する。基部２１と各抜け止め片２２とが繋がっている部分が折り曲げ箇所となっている。
【００２０】
この抜け止め部材２０は、以下のように作製される。まず、単一の金属板、例えば鋼板から図６に示すように型抜きするとともに、基部２１と抜け止め片２２との境界部分２４を同じ方向に折り曲げることで、１回のプレス成形により作製される。よって、基部２１と抜け止め片２２とが単一の金属板で構成されているので、部品点数を少なくすることができる。また、基部２１と抜け止め片２２とが一体で繋がっているので、溶接等を用いて連結する場合に比べて前記境界部分２４における強度を確保することが可能である。
【００２１】
この抜け止め部材２０は、図１、図２に示すように、基部２１の取付孔２１ａにアンカー本体１０の先端部１１を挿入するとともに、基部２１の両側にそれぞれ設けたナット２３ａ、２３ｂで挟持することで、アンカー本体１０の先端部１１に取付けられる。この取付け状態において、各抜け止め片２２は、基部２１からアンカー本体１０の先端部１１と反対側に向かって延び、かつ後方に向かうにしたがってアンカー本体１０との離隔距離が拡大する向きに傾斜し、互いに前記アンカー本体１０の周方向に並んでいる。
【００２２】
この抜け止め部材２０は、アンカー本体１０に引き抜き力が与えられたときに各抜け止め片２２が地盤から受ける抵抗によって当該抜け止め片２２の当該アンカー本体１０に対する傾斜角度θが拡大する向きに変形可能であり、かつ、互いに隣接する抜け止め片２２同士が前記周方向に当接している。傾斜角度θのうち、隣接する抜け止め片２２同士が周方向に当接するときの最低角度θ０は、本実施形態において１０゜に設定されている。
【００２３】
前記回り止め部材取付部１７には、回り止め部材３０が取付けられる。回り止め部材３０は、概略Ｌ字状に形成された金属製のものであって、短冊状の取付部３１と、その取付部３１の長手方向の一端に繋がった埋設部３２とを有し、取付部３１には例えば円形状の取付孔３１ａが形成され、埋設部３２の先端側（取付部３１から離れた側）には、先端になる程に狭幅となった打込部３２ａが形成されている。
【００２４】
この回り止め部材３０は、アンカー本体１０を所定深さに埋設した後に、そのアンカー本体１０と埋設部３２との間に落石防止網２の網目２ａまたは落石防止網２を押さえるロープ３が入るように（図３参照）、取付孔３１ａに回り止め部材取付部１７を挿入した状態で回り止め部材３０を打ち込み、取付部３１におけるアンカー本体１０と埋設部３２との間で落石防止網２の網目２ａやロープ３の抜け止めを行う。なお、取付部３１の両側はナット３３ａ、３３ｂで挟持される。
【００２５】
次に、このように構成された本実施形態におけるアンカー１の取付け内容を、落石防止網を固定する場合を例に挙げて説明する。
【００２６】
まず、アンカー本体１０の先端部１１における抜け止め部材取付部１３に、ナット２３ａ、２３ｂを介して抜け止め部材２０を取付ける。または、抜け止め部材２０が取付けられたアンカー本体１０を用意する。
【００２７】
次に、落石防止網２の網目２ａの内側に、アンカー本体１０を所定の回転工具を用いて回転駆動させて抜け止め部材２０を地中に埋め込んでいく。このとき、抜け止め片２２は一定の姿勢に保持される。つまり、互いに隣接する抜け止め片２２同士がアンカー本体１０の周方向に当接していて、傾斜角度θが最低角度θ０に保持されるからである。また、隣接する抜け止め片２２における当接する側面２２ａは、周方向において他の部分よりも外方に向けて突出しているため、一種のドリルの刃として機能する。よって、抜け止め部材２０及びアンカー本体１０は容易に地中に埋め込まれる。
【００２８】
次に、所定深さまでアンカー本体１０を埋め込むと、前記回転工具をアンカー本体１０から取外す。
【００２９】
続いて、アンカー本体１０と埋設部３２との間に落石防止網の網目が入るように（図３参照）、取付孔３１ａに回り止め部材取付部１７を挿入した状態で回り止め部材３０を、ハンマー等を用いて打ち込む。これにより、取付部３１におけるアンカー本体１０と埋設部３２との間で落石防止網の網目の抜け止めが行われる。このとき、取付部３１の下側のナット３３ａは、回り止め部材３０よりも先に回り止め部材取付部１７に取付けておく。
【００３０】
次に、アンカー本体１０の後端部１８に取付部３１の上側のナット３３ｂを取付ける。これによりアンカー１の取付けが完了する。
【００３１】
以上のアンカー１の取付けを繰り返して、落石防止網の全域をアンカー１により地盤に固定する。これにより落石防止網が所望の状態に取付けられるとともに、抜け止め片２２の傾斜角度θが最低角度θ０に一定に保持される。
【００３２】
この状態において、例えば落石により落石防止網に力が加わって、回り止め部材３０の取付部３１およびアンカー本体１０に引き抜き力が作用しても、アンカー本体１０等が引き抜かれるのを抜け止め部材２０が、以下のようにして防止する。即ち、図７に示すようにアンカー本体１０が引き抜き力Ａを受けると、各抜け止め片２２が地盤から受ける抵抗によって二点鎖線で示すように傾斜角度θが拡大する向きに変形し（つまり抜け止め片２２が開き）、この変形に伴って地盤に対して抜け難くなる抵抗を発生させ、この抵抗によりアンカー１が抜け難い状態になる。また、このとき、傾斜角度θが最低角度θ０に設定されているので、アンカー本体１０が引き抜き力を受けると各抜け止め片２２における基部２１と反対の先端側を確実に開かせることができる。
【００３３】
なお、上述した実施形態においては、最低角度θ０を１０゜に設定しているが、本体発明はこれに限らず、最低角度θ０を５゜以上かつ３０゜以下の任意の角度に設定することが可能である。最低角度θ０を５゜以上に設定する理由は、５゜未満の角度の場合には、アンカー本体に引き抜き力が作用してアンカー本体が引き抜かれる状態になっても、各抜け止め片２２が傾斜角度を拡大させる向きに変形しない（つまり抜け止め片２２が開かない）虞があるからである。一方、最低角度θ０を３０゜以下に設定する理由は、３０゜よりも大の場合には、アンカーの埋め込みが困難になり、或いは落石防止網の固定にアンカーを用いる場合に網目を挿通させることができなくなる虞があるためである。
【００３４】
また、上述した実施形態においては、基部２１が矩形状で抜け止め片２２が４個の抜け止め部材２０を用いているが、本発明はこれに限らない。例えば、図８（ａ）に示すように基部２１１が六角形で抜け止め片２２１が６個の抜け止め部材２０１、或いは、図示を省略するが基部が五角形で抜け止め片が５個、或いは基部が七角形以上で抜け止め片が基部の辺の数と同じ数の抜け止め部材などを用いてもよい。また、基部２１２が円形で、抜け止め片２２２が円錐台の側面を４分割した形状の抜け止め部材２０２などを用いてもよい。抜け止め部材２０２における抜け止め片２２２としては、円錐台の側面を２分割、または３分割、または５分割以上とした形態であってもよい。
【００３５】
更に、上述した実施形態においては、隣接する抜け止め片２２における側面２２ａ同士を当接させることで最低角度θ０を維持するように構成しているが、本発明はこれに限らず、図９（ａ）（ｂ）に示すように、隣接する抜け止め片２２における側面２２ａに当接片２２ｂを形成し、その当接片２２ｂと隣の抜け止め片２２における側面２２ａとが当接するように構成してもよい。なお、図９では、当接させる２つの側面２２ａの両方に当接片２２ｂを形成しているが、本発明はこれに限らず、いずれか片方に当接片２２ｂを形成してもよい。
【００３６】
更にまた、上述した実施形態における抜け止め部材として、地盤へ埋設する際の直前直後（引き抜き力が作用して抜け止め片２２が開く場合を除く）で、図５及び図９（ａ）に示すように隣接する抜け止め片２２における側面２２ａ同士が当接したまま、つまり抜け止め片２２の傾斜角度θに変化が起こらない構成のものを例に挙げているが、本発明に適用可能な抜け止め部材はこれに限らない。例えば、図１０に示すように、地盤へ埋設する際の直前直後（引き抜き力が作用して抜け止め片２２が開く場合を除く）で、隣接する抜け止め片２２における側面２２ａ同士が当接せずに間に隙間２２ｃが形成されていて、地盤に抜け止め部材２０を埋め込んでいくときに、地盤から受ける力によって抜け止め片２２が変形することに伴って傾斜角度θが小さくなり、最終的に隙間２２ｃがゼロ、つまり側面２２ａ同士が当接する最低角度θ０にまで変形する構成にも適用することができる。
【００３７】
更にまた、上述した実施形態における回り止め部材３０としては、図１に示すように概略Ｌ字形のものを用いているが、本発明はこれに限らない。例えば、図１１に示すように取付部３１の長手方向の両端に埋設部３２が設けられ、各埋設部３２の先端に打込部３２ａが形成された回り止め部材３０Ａを用いてもよい。或いは、図１２に示すように取付部３４が平面視で概略三角形に形成されるとともに中心部に取付孔３４ａが形成され、外周部の各頂部に埋設部３２が設けられ、各埋設部３２の先端に打込部３２ａが形成された回り止め部材３０Ｂ、或いは、図１３に示すように取付部３５が平面視で十字形に形成されるとともに交差部に取付孔３５ａが形成され、各辺の端部に埋設部３２が設けられ、各埋設部３２の先端に打込部３２ａが形成された回り止め部材３０Ｃを用いてもよい。
【００３８】
更にまた、上述した実施形態においては落石防止網を固定する場合を例に挙げているが、本発明はこれに限らない。例えば、テントなどをたてる場合に支柱を引っ張るためのロープを固定するためのアンカーにも同様に適用できる。
【符号の説明】
【００３９】
１    アンカー
１０    アンカー本体
１１    一方の端部（先端部）
２０    抜け止め部材
２１    基部
２２    抜け止め片
θ    傾斜角度
θ０    最低角度
【図１】
2011190642.tif 000003
【図２】
2011190642.tif 000004
【図３】
2011190642.tif 000005
【図４】
2011190642.tif 000006
【図５】
2011190642.tif 000007
【図６】
2011190642.tif 000008
【図７】
2011190642.tif 000009
【図８】
2011190642.tif 000010
【図９】
2011190642.tif 000011
【図１０】
2011190642.tif 000012
【図１１】
2011190642.tif 000013
【図１２】
2011190642.tif 000014
【図１３】
2011190642.tif 000015